(57)【要約】【課題】可撓性を有する情報記録媒体（光ディスク）を、姿勢制御兼光学補正板を備えた光ディスク記録再生装置によって記録・再生する際に、ディスク駆動時の偏心を低減することが可能な情報記録媒体及びその製造方法を提供する。【解決手段】本発明による情報記録媒体は、ディスク状の基板を備えた情報記録媒体であって、前記基板の中心に設けられた内周穴の端面に向かって所定の勾配を持つ凸領域を有することを特徴とする。ここで、前記凸領域の勾配は、情報の記録再生をする記録再生装置における前記情報記録媒体を支持するため支持体であって、テーパ形状をなす支持体のテーパ部分の勾配に合致する。【選択図】図３
2008090932.tif 000002
【特許請求の範囲】
【請求項１】
ディスク状の基板を備えた情報記録媒体であって、前記基板の中心に設けられた内周穴の端面に向かって所定の勾配を持つ凸領域を有することを特徴とする情報記録媒体。
【請求項２】
前記凸領域の勾配は、情報の記録再生をする記録再生装置における前記情報記録媒体を支持するため支持体であって、テーパ形状をなす支持体のテーパ部分の勾配に合致することを特徴とする請求項１に記載の情報記録媒体。
【請求項３】
前記基板は可撓性を有していることを特徴とする請求項１又は２に記載の情報記録媒体。
【請求項４】
ディスク状の情報記録媒体の製造方法であって、
基板に穴を形成する工程と、
前記基板の穴に挿入されるセンターピンとそのセンターピン周辺に凹部を有する鏡面金型と、所定パターンを前記基板に転写するためのスタンパ金型とで前記基板を挟む工程と、
前記基板に熱及び圧力を加える工程と、
前記基板を冷却する工程と、
前記スタンパ金型を取り除き、前記基板上に少なくとも記録層を形成する工程と、
を備えることを特徴とする情報記録媒体の製造方法。
【請求項５】
ディスク状の情報記録媒体の製造方法であって、
基板に穴を形成する工程と、
前記基板の穴に挿入されるセンターピンとそのセンターピン周辺に凹部を有し、所定パターンを前記基板に転写するためのスタンパ金型と、鏡面金型とで前記基板を挟む工程と、
前記基板に熱及び圧力を加える工程と、
前記基板を冷却する工程と、
前記スタンパ金型を取り除き、前記基板上に少なくとも記録層を形成する工程と、
を備えることを特徴とする情報記録媒体の製造方法。
【請求項６】
前記センターピン周辺の凹部は、前記情報記録媒体に対して情報記録再生をする記録再生装置における前記情報記録媒体の支持体であって、テーパ形状をなす支持体のテーパ部分の勾配と逆の勾配を有することを特徴とする請求項４又は５に記載の情報記録媒体の製造方法。
【発明の詳細な説明】
【技術分野】
【０００１】
本発明は、ディスク状の基板を備えた情報記録媒体及びその製造方法に関し、特に情報記録媒体の記録再生時における偏心を制御するための情報記録媒体の形状及びその製造方法に関するものである。
【背景技術】
【０００２】
従来、重要且つ膨大な量のデータを扱う企業等では、磁気テープやハードディスクのみに頼ったデータ管理システムを採用していた。ところが、磁気テープは、テープ同士の癒着などを防止するための定期的なメンテナンスを行う必要があり、このメンテナンス高いコストがかかる。また、ハードディスクは、ドライブと磁気記録媒体とが一対となっているため、ドライブが故障するとそのドライブと対になっている磁気記録媒体に記録された情報は再生できなくなる。このため、ドライブの故障に備えてデータをミラーリングしておくなどの対策を行わなければならないが、このような対策を行っていても、ミラーリングされたディスクと元のディスクとが同時に故障してしまった場合や、障害発生時にデータの復旧が完了する前にミラーリングされたディスクが更に故障してしまった場合などには、データの復旧が不可能となってしまう。
【０００３】
そこで、昨今ではメンテナンスが容易で且つ信頼性の高い光情報記録媒体（光ディスク）を一部利用したデータ管理システムが注目されている。光ディスクを一部利用した管理システムでは、データの書換えが頻繁に行われるデータに関してはハードディスク等を利用し、アクセスは少ないが情報の長期保存が求められるデータに関しては光ディスクを利用するなどの工夫がなされている。光ディスクは、塵埃等による特性劣化さえ防げば基本的にメンテナンスフリーであり、ハードディスクの場合とは異なり、仮に記録再生用のドライブが故障しても光ディスクを別のドライブに移動させれば何ら問題ない。即ち、光ディスクを利用することにより、トラブルシューティングに要する時間を飛躍的に短縮することができるとともに、重要な情報を失う危険性が大幅に低減される。
【０００４】
このように、光ディスクは、メンテナンスが容易で且つ信頼性の高い記録媒体として既に重要な位置を占めるに至っているが、最近の情報通信技術の発達により、更なる取り扱いの容易さの向上や記憶容量の増大に期待が集まっている。ここで、光ディスクの記憶容量を増大するためには、トラック間隔（トラックピッチ）を狭くし且つ記録マークの間隔を狭くする必要がある。しかしながら、トラック間隔や記録マークの間隔がレーザー光のスポット径λ／ＮＡ（λ：レーザー光の波長、ＮＡ：絞り込みレンズの開口数）より小さくなると、１つの光スポット内に複数の記録マークが入ってしまうので、個々の記録マークの識別ができなくなってしまう。即ち、光ディスクの記録容量は、レーザー光の波長と開口数とからその限界が決まっており、特別な方法を取らない限りこの限界を超えて大容量化を図ることは不可能である。
【０００５】
このような上限を超えて光ディスクを大容量化する方法として、光学超解像、磁気超解像方式やスーパーレンズ、ホログラムなどといった様々な試みがなされているが、最も効率的な方法としては、光ディスク基板の厚みを薄くして体積当たりの記録容量を増やすことが挙げられる。例えば、特許文献１〜３に記載されているように、薄型光ディスクと、薄型光ディスクを面ぶれさせずに安定に回転させるためのスタビライザーとを組み合わせた記録再生装置を構成することにより、従来の光ディスクに比べて体積当たりの記録容量が数倍大きい薄型光ディスクの記録再生装置が実現されている。ここで用いられている厚さ１００μｍ程度の薄い基板からなる光ディスクのことを、以下では「フレキシブルディスク」と呼ぶ。
【０００６】
フレキシブルディスクを使用する他の方法として、上記のようにスタビライザーを用いる他に、平面の寸法形状がフレキシブルディスクとほぼ同じである円盤状ガラス板を用いてフレキシブルディスクを支持する方法が挙げられる。上記ガラス板は光学ガラスで作製されており、記録再生用のレーザー光をこのガラス板を介してフレキシブルディスクに照射すると、従来の光ディスクと同様に記録再生が行えるようになっている（つまり、光学補正を行うことにより、従来の光ディスク記録再生装置の光学系との互換性が確保されている）。例えば、ＤＶＤピットパターンが転写された１００μｍ厚の可撓性光ディスクの上に５００μｍ厚の円盤状光学ガラス板をほぼ中心が重なるようにして載せたものを市販のＤＶＤドライブを用いて再生すると、上記の可撓性光ディスク上にピットパターンとして刻まれた情報の再生を行うことが可能であることが確認できる。ここで用いた円盤状光学ガラス板は、フレキシブルディスクを支持するとともに、記録再生用のレーザー光に対して光路差の補正を行うものであるから、以下では「姿勢制御兼光学補正板」と称する。
【０００７】
可撓性光ディスクを用いた記録再生装置においては、後者の姿勢制御兼光学補正板を用いた方法の方がより簡便にシステムを構築することができるので、経済的に有利である。
【０００８】
【特許文献１】特開昭６２−２１２９３５号公報。
【特許文献２】特開２００３−３３１５６１号公報。
【特許文献３】特開２００３−９１９７０号公報。
【発明の開示】
【発明が解決しようとする課題】
【０００９】
ところで、ＤＶＤドライブのディスク支持部の形状の多くは、テーパードコーン形状となっている。これはディスク内周穴の大きさのバラツキによる回転のぶれ等を防止するためであり、ディスク支持部をこのような形状にすることによりディスクのドライブ駆動時のＤＶＤディスクの偏心を低減できるようになっている。
【００１０】
しかしながら、上述のフレキシブルディスクの記録再生において姿勢制御兼光学補正板を用いる場合は、姿勢制御兼光学補正板の板厚分テーパードコーンとディスク内周穴の隙間が生じることとなり、この隙間がドライブ駆動時における偏心を発生させる原因となる。
【００１１】
本発明はこのような問題に鑑みてなされたものであり、可撓性を有する情報記録媒体（光ディスク）を、姿勢制御兼光学補正板を備えた記録再生装置によって記録・再生する際に、ディスク駆動時の偏心を低減することが可能な情報記録媒体及びその製造方法を提供するものである。
【課題を解決するための手段】
【００１２】
上記課題を解決するために、本発明による情報記録媒体は、ディスク状の基板を備えた情報記録媒体であって、前記基板の中心に設けられた内周穴の端面に向かって所定の勾配を持つ凸領域を有することを特徴とする。
【００１３】
ここで、前記凸領域の勾配は、情報の記録再生をする記録再生装置における前記情報記録媒体を支持するため支持体であって、テーパ形状をなす支持体のテーパ部分の勾配に合致する。また、前記基板は可撓性を有している。
【００１４】
本発明によるディスク状の情報記録媒体の製造方法は、基板に穴を形成する工程と、前記基板の穴に挿入されるセンターピンとそのセンターピン周辺に凹部を有する鏡面金型と、所定パターンを前記基板に転写するためのスタンパ金型とで前記基板を挟む工程と、前記基板に熱及び圧力を加える工程と、前記基板を冷却する工程と、前記スタンパ金型を取り除き、前記基板上に少なくとも記録層を形成する工程と、を備えることを特徴とする。
【００１５】
また、本発明によるディスク状の情報記録媒体の製造方法は、基板に穴を形成する工程と、前記基板の穴に挿入されるセンターピンとそのセンターピン周辺に凹部を有し、所定パターンを前記基板に転写するためのスタンパ金型と、鏡面金型とで前記基板を挟む工程と、前記基板に熱及び圧力を加える工程と、前記基板を冷却する工程と、前記スタンパ金型を取り除き、前記基板上に少なくとも記録層を形成する工程と、を備えることを特徴とする。
【００１６】
前記製造方法において、前記センターピン周辺の凹部は、前記情報記録媒体に対して情報記録再生をする記録再生装置における前記情報記録媒体の支持体であって、テーパ形状をなす支持体のテーパ部分の勾配と逆の勾配を有している。
【００１７】
さらなる本発明の特徴は、以下本発明を実施するための最良の形態および添付図面によって明らかになるものである。
【発明の効果】
【００１８】
本発明による情報記録媒体によれば、フレキシブルディスクの内周穴端面の形状と記録再生装置のディスク支持体のテーパードコーンの形状とを一致させている（より具体的には両者の勾配を一致させるようにしている）ので、フレキシブルディスクのドライブ駆動時の偏心を低減できる。すなわち本発明は、フレキシブルディスクの内周穴端面を内周穴に向かい勾配を持つ形状とし、また記録再生装置のディスク支持体のテーパードコーンの形状を前記フレキシブルディスクの内周穴端面の勾配と一致する形状にすることにより、フレキシブルディスクを情報記録再生装置に装填する際のディスク支持体のテーパードコーンとフレキシブルディスクの内周穴の隙間をなくし、ドライブ駆動時の偏心を低減することができる。
【発明を実施するための最良の形態】
【００１９】
以下、添付図面を参照しながら本発明を実施するための最良の形態を詳細に説明する。
＜光情報記録媒体の構造＞
図１及び２は、通常のフレキシブルディスク１０２（勾配凸部１０３なし）を記録再生装置のディスク支持体であるテーパードコーン２０１及び姿勢制御兼光学補正板２０２の上に装填した様子を示す図である。図１においては、フレキシブルディスク１０２とテーパードコーン２０１の隙間が全周にわたって均一であり、ドライブ駆動時の偏心が低減された状態の様子が示されている。また図２においては、装填時にディスクのチャッキング位置が中心からずれ、フレキシブルディスク１０２とテーパードコーン２０１の隙間が全周にわたって不均一であることにより、ドライブ駆動時の偏心が非常に大きく発生する状態の様子が示されている。
【００２０】
このように、フレキシブルディスク１０２をテーパードコーン２０１にマウントさせるには非常に精密な動作を必要とし、そのためだけに多くの労力を必要とする。手作業などでフレキシブルディスク１０２をテーパードコーン２０１にマウントする際は、ほぼ図２示されるような状態になってしまうことが多い。
【００２１】
＜フレキシブルディスク１０１の構造＞
そこで、このような不具合を除去するための新しい構造を有するフレキシブルディスク１０１が提供される。図３及び４は、本発明の実施形態による光情報記録媒体（フレキシブルディスク）の構造を示す図であり、これらの図において同一の符号を付した部分は同一物を現し、基本的な構成及び動作は同様であるものとする。
【００２２】
本発明の実施形態において、光情報記録媒体は、図３に示されるように、内周穴端面において、内周穴に向かって勾配凸部１０３が形成されたフレキシブルディスク１０１であって、可撓性を有するシート材料に光記録膜を成膜することによって形成したものである。フレキシブルディスク１０１では、このシートを構成する材料として、例えば、厚さ１００μｍのＰＣ（ポリカーボネート）が用いられている。また、前記のＰＣの他にも、ＰＥＴ（ポリエチレンテレフタレート）やＰＥＮ（ポリエチレンナフタレート）を用いることも可能である。
【００２３】
本実施形態による光情報記録媒体たるフレキシブルディスク１０１の形状は、外径φ１２０ｍｍ、内径φ１５ｍｍとしている。また、本発明の内周穴補強可撓性光ディスクにおける、情報記録領域はφ４８ｍｍ〜φ１１６ｍｍまでの間の環状の領域としている。但し、本実施形態においては、フレキシブルディスクの基本となる形状として光情報の記録再生が可能であれば、特に外形や内径の大きさ、また、情報記録領域などの制限はしないものとする。
【００２４】
本実施形態において、フレキシブルディスク１０１の内周穴端面に設けられた勾配凸部１０３は、フレキシブルディスク１０１に情報を記録再生するための光情報記録再生装置におけるディスク支持体のテーパードコーン２０１の形状と同等の勾配と有している。なお、テーパードコーン２０１の材質は剛性の高いものであれば、特に限定はしない。また、前述のテーパードコーン２０１の形状としては、フレキシブルディスク１０１の内周穴端面が接する箇所において、その寸法をφ１５ｍｍとしている。
【００２５】
図３を参照して、本実施形態による情報記録媒体（フレキシブルディスク１０１）の全体構成について説明する。図３Ａはディスクの側面図であり、図３Ｂはその平面図である。本実施形態によるフレキシブルディスク１０１は、例えば可撓性を有するプラスティック基板から構成され、その中央部の内周穴端面は図３Ａで示すように内周穴に向かって勾配凸部１０３を設けた構造となっている。
【００２６】
また、図４は、片面１層のフレキシブルディスク１０１の断面の構造を示す図である。図４に示されるように、厚さ１００μｍのフレキシブルシート１０１１にグルーブ及びランドからなる溝形状部が形成され、その上に記録層１０１２、反射層１０１３及び保護層１０１４が順に形成される。記録層１０１２〜保護層１０１４の厚さがシート厚に対して非常に小さく無視できるので、フレキシブルディスク１０１全体の厚さは１００μｍである。なお当然のことであるが、光の入射面１０１０は、記録層１０１２乃至保護層１０１４が形成される面とは反対の面である。またディスクの構造としては、片面１層に限らず、片面２層、両面２層や両面４層等も用いることはできる。ただし、複数の記録層を形成した場合であっても、１枚のディスクの厚さは２００μｍ以下であることが望ましい。
【００２７】
図５は、図３に示すフレキシブルディスク１０１を複数枚収容したカートリッジを模式的に示す図である。記録又は再生の際には、図示しないディスク搬送装置が記録又は再生対象のディスクをカートリッジから取り出し、所定の位置に搬送する機構となっている。例えば、厚さ３０ｍｍのカートリッジに記録容量が４．７ＧＢのフレキシブルディスク１０１を２００枚程度収納すれば、カートリッジ全体として約９４０ＧＢの記録容量が実現される。
【００２８】
＜記録再生装置の概略＞
図６及び図７は、本実施形態による記録再生装置のディスク読み取り（書き込み）の概略構成を示す図である。図６はディスク下面から情報の読み取り・書き込みを行う場合、図７はディスク上面から情報の読み取り・書き込みを行う場合である。
【００２９】
図６では、本実施形態によるフレキシブルディスク１０１を記録再生装置のディスク支持体であるテーパードコーン２０１及び姿勢制御兼光学補正板２０２の上に装填し、ディスク下面から記録再生ヘッド（光ピックアップ）２０３によって情報記録再生する構成が採られている。この場合、フレキシブルディスク１０１の内周端面の勾配凸部１０３とテーパードコーン２０１の勾配がほぼ一致し、フレキシブルディスク１０１とテーパードコーン２０１の隙間はほぼなくなり、ドライブ駆動時の偏心を非常に低減できることが可能となる。ここで、姿勢制御兼光学補正板２０２は、可撓性のあるフレキシブルディスク１０１を支持し、また、ＤＶＤとの互換性を保証するために記録再生ヘッド２０３から照射されるレーザ光の光路差を補正するために設けられている。
【００３０】
姿勢制御兼光学補正板２０２及びフレキシブルディスク１０１は、ターンテーブル２０７上に載置される。そして、ターンテーブル２０７は、図示しないスピンドルモータによって回転制御され、ＤＶＤと同様の光学系を用いた記録再生ヘッド２０３によって情報の記録又は再生動作が実行される。なお、フレキシブルディスク１０１は、姿勢制御兼光学補正板２０２上に載置された後、図示しないマグネットチャックによって固定するようにして回転時のずれを押さえる。なお、言うまでもないが、固定の仕方は様々なものが考えられ、本実施形態におけるマグネットチャックは単なる例示に過ぎないものである。
【００３１】
図７は記録再生の別の態様を示している。同図では、本実施形態によるフレキシブルディスク１０１を記録再生装置のディスク支持体であるテーパードコーン２０１及び姿勢制御板２０４の上に装填し、ディスク上面から記録再生ヘッド（光ピックアップ）２０３によって情報記録再生する構成が採られている。この場合も、フレキシブルディスク１０１の内周端面の勾配凸部１０３とテーパードコーン２０１の勾配がほぼ一致し、フレキシブルディスク１０１とテーパードコーン２０１の隙間はほぼなくなり、ドライブ駆動時の偏心を非常に低減できることが可能となる。ここで、姿勢制御板２０４は、可撓性のあるフレキシブルディスク１０１を支持するために設けられたものである。
【００３２】
姿勢制御板２０４及びフレキシブルディスク１０１は、ターンテーブル２０７上に載置される。そして、ターンテーブル２０７は、図示しないスピンドルモータによって回転制御され、ＤＶＤと同様の光学系を用いた記録再生ヘッド２０３によって情報の記録又は再生動作が実行される。また、記録再生ヘッド２０３は光学補正板２０５を備えており、本実施形態によるフレキシブルディスク１０１を記録再生する場合には照射されるレーザ光の光路上に設置され、ＤＶＤ等を記録再生する場合にはレーザ光の光路上から取り除かれるような構成となっている。なお、フレキシブルディスク１０１は、姿勢制御板２０４上に載置された後、図示しないマグネットチャックによって固定するようにして回転時のずれを押える。
【００３３】
以上のような記録再生について、図６の構成を採るか図７の構成を採るかは、フレキシブルディスク１０１の記録層１０１２や反射層１０１３がディスクの上面或いは下面の何れに形成されるかによって決まる。よって、後述のように、ディスク製造工程で図１１に示される金型及びスタンパを用いる場合には図６による記録再生の構成を採用し、図１２に示される金型及びスタンパを用いる場合には図７による記録再生の構成を採用することになる。
【００３４】
＜姿勢制御兼光学補正板又は姿勢制御板の構成について＞
図８は、本実施形態によるフレキシブルディスク１０１に情報の記録再生を実行する場合に使用される姿勢制御兼光学補正板２０２又は姿勢制御板２０４の構造を示す図である。同図に示すように、姿勢制御兼光学補正板２０２又は姿勢制御板２０４は、中心の回りに複数の通気口２０６が形成されている。
【００３５】
フレキシブルディスク１０１は、剛性が低く、かつ静電気を持ちやすい。従って、フレキシブルディスク１０１と姿勢制御兼光学補正板２０２（姿勢制御板２０４）のどちらか一方或いは両方が静電気を持っている場合において、フレキシブルディスク１０１が完全に平らになることは無く、通常、フレキシブルディスク１０１と姿勢制御兼光学補正板２０２又は姿勢制御板２０４との間に、所々、空気が閉じこめられた領域ができてしまう（この現象をエア噛みが生じると言う）。
【００３６】
このような“エア噛み”の発生により、フレキシブルディスク１０１には、局所的な面ぶれが発生するので、フレキシブルディスク１０１が記録再生装置に装填されて記録再生される際には、その姿勢を安定に制御する必要がある。そのために、フレキシブルディスク１０１と姿勢制御兼光学補正板２０２又は姿勢制御板２０４との間に、フレキシブルディスクの内周部領域の基板厚さと内周部以外の基板厚さの違いにより生ずるスペースに空気流を送り込み、前記フレキシブルディスクとの間に生じるエア噛みを除去する必要がある。
【００３７】
姿勢制御兼光学補正板２０２又は姿勢制御板２０４には、フレキシブルディスク１０１との間に空気流を送り込むための複数の通気口２０６が設けられている。これにより、前述のエア噛みを除去することができ、エア噛みによる面ぶれを抑制することが可能である。その結果、フレキシブルディスク１０１は、記録再生装置によって正確な情報の記録再生が可能となる。
【００３８】
そして、図９に示されるように、例えばスペーサ２０８をフレキシブルディスク１０１と姿勢制御兼光学補正板２０２又は姿勢制御板２０４との間に設置し、記録再生時にディスクが回転すれば、図９中矢印で示される空気流が生じ、エア噛みが除去される。
【００３９】
＜フレキシブルディスク１０１の製造方法＞
図１０は、本発明の実施形態によるフレキシブルディスク１０１の製造工程を示す図である。図１０に示される製造工程はほんの一例に過ぎず、これ以外の製造工程を用いることは可能である。
【００４０】
図１０において、まず、厚さ約１００μｍの可撓性を有する薄型シート（熱可塑性プラスティックフィルム、例えば、１５０ｍｍ×１５０ｍｍのＰＣ、ＰＥＴやＰＥＮ等の素材のシート）を用意し、その中心に穴を開ける（ステップＳ１０１）。なお、この穴は、素材の熱収縮を考慮して目標とする寸法よりも少し大きめに開けるのが好ましい。どの位大きく開けるかは素材によって決まるものである。
【００４１】
次に、凹凸パターンを有するスタンパ（例えば、ナノインプリント用金型）と鏡面金型を用意し、上記薄型シートをこれらで挟み込む（ステップＳ１０２）。このスタンパと鏡面金型については、図１１及び図１２でそれぞれ示されるペアが考えられる。
【００４２】
図１１では、スタンパ３０１は、ステップＳ１０１で用意された薄型シートが挿入されるセンターピン３０２と、凹凸パターン３０３と、薄型シートにフレキシブルディスク１０１の勾配凸部１０３を形成するためのディスク勾配形成部３０４を備えている。このディスク勾配形成部３０４はテーパードコーン２０１の勾配と逆の勾配を有し、前述のように勾配凸部１０３がディスク厚の約２倍（例えば約２００μｍ）となる程度の深さを有している。また、鏡面金型３０５は光の入射面１０１０（図４参照）を形成するためのものである。光の入射面にはなるべく凹凸がないのが望ましいため、光の入射面を形成するための金型には鏡面金型が採用されるのである。図１１の金型のペアを用いれば、図６の記録再生の構成を採用するディスクが生成される。つまり、勾配凸部１０３が延設される方の面をディスク上面とすれば、凹凸パターン３０３が薄型シートの上面（ディスク上面）に転写され、その上に各層が形成される（後述）。また、その場合、記録再生ヘッド２０３はディスク下面に対してレーザ光を照射することになる。なお、センターピン３０２の径Φは、記録再生装置のディスク支持体であるテーパードコーン２０１の中間の径Ｘ（図５又は６参照）よりも少し大きめに設定する。これは、薄型シートの素材の熱収縮を考慮し、シートをプレスした後の寸法がＸと合うようにするためである。
【００４３】
一方、図１２では、鏡面金型３０５が、ステップＳ１０１で用意された薄型シートが挿入されるセンターピン３０２と、薄型シートにフレキシブルディスク１０１の勾配凸部１０３を形成するためのディスク勾配形成部３０４を備え、光の入射面１０１０（図４参照）を形成する。このディスク勾配形成部３０４は、テーパードコーン２０１の勾配と逆の勾配を有している。スタンパ３０１は、凹凸パターン３０３を備え、そのパターンを薄型シートに転写する。図１２の金型のペアを用いれば、図７の記録再生の構成を採用するディスクが生成される。つまり、勾配凸部１０３が延設される方の面をディスク上面とすれば、凹凸パターン３０３が薄型シートの下面（ディスク下面）に転写され、順次各層が形成される（後述）。また、その場合、記録再生ヘッド２０３はディスク上面に対してレーザ光を照射することになる。
【００４４】
なお、センターピン３０２を有するスタンパ３０１又は鏡面金型３０５は、まずセンターピン３０２が挿入される穴を打ち抜き、その穴周辺部に勾配を持った凹部（ディスク勾配形成部３０４）を生成し（中心部を面取りする）、センターピン３０２を挿入することによって作成される。
【００４５】
続いてステップＳ１０３において、スタンパ３０１と鏡面金型３０５とで薄型シートを挟んだ状態で、スタンパ３０１及び鏡面金型３０５を加熱（プラスティックシートのガラス転移温度以上）し、さらに上下からシートをプレス（熱プレス）し、スタンパ３０１の凹凸パターン３０３を転写する。また、加熱によって熱可塑性の薄型プラスティックシートは柔らかくなり、シートの中心部はディスク勾配形成部３０４に垂れ下がる。上述のように、ディスク勾配形成部３０４は、テーパードコーン２０１の勾配と丁度逆の勾配を有しているため、シートの加熱及び次の工程の冷却によって勾配凸部１０３がディスクに形成される。
【００４６】
そして、ステップＳ１０３の加熱及び加圧を所定時間（勾配凸部１０３が形成されるに充分な時間）継続した後、その状態でスタンパ３０１及び鏡面金型３０５を冷却する（ステップＳ１０４）。これにより、フレキシブルディスク１０１上に凹凸パターン３０３及び勾配凸部１０３が固定される。
【００４７】
次に、スタンパ３０１のみを剥離し、薄型シートを鏡面金型側に残す（ステップＳ１０５）。
【００４８】
そして、薄型シートが鏡面金型に残った状態、或いは剥がした状態で、シートの外周部分を打ち抜き、シートを円盤状に形成する（ステップＳ１０６）。続いて、凹凸パターン３０３が転写された部分の上に記録層を形成するための色素を塗布し、その上にさらに反射層を形成し、最後に保護層を形成する（ステップＳ１０７）。
【００４９】
ステップＳ１０１乃至Ｓ１０７の製造工程によって、本実施形態による勾配凸部１０３を備えたフレキシブルディスク１０１が生成される。
【００５０】
以上、本発明のフレキシブルディスクについて、具体的な実施の形態を示して説明したが、本発明はこれらに限定されるものではなく、当業者であれば、本発明の要旨を逸脱しない範囲内において、上記各実施形態又は他の実施形態にかかる発明の構成及び機能に様々な変更・改良を加えることが可能である。
【００５１】
以上本発明の実施形態による情報記録媒体（光ディスク）の構成及びその記録媒体の製造方法について説明した。
【００５２】
本実施形態の情報記録媒体によれば、ディスク状の基板を備えた情報記録媒体であって、その内周部領域に内周穴の端面に向かい、全周にわたり勾配を持つ領域を有するようにしているので、ドライブ駆動時にディスクの偏心の発生による不具合を防止することができる。
【００５３】
また、本実施形態の情報記録媒体の製造方法によれば、凹凸パターンが形成された成形用金型（ナノインプリント用金型）と中央部に凸形状である円柱のセンターピンおよび前記センターピンに向かって所定の勾配を設けた鏡面金型（或いは成形用金型がセンターピンを有していてもよい）を用い、成形用金型と鏡面金型の間に熱可塑性プラスチックフィルムをサンドイッチ状に密着させ、成形用金型、鏡面金型および熱可塑性プラスチックフィルム全体に対し、所定の圧力と所定の熱で熱プレスすることにより、熱可塑性プラスチックフィルムの所定の面に前記凹凸パターンを転写するとともに、熱可塑性プラスチックフィルム中央部に内周穴および内周穴端面全周にわたり内周穴に向かって勾配を持つ形状を成形する。これによって、容易にディスク内周部領域に内周穴の端面に向かい、全周にわたり勾配を持つ領域を有するディスクを製造でき、そのディスクを用いれば記録再生時の偏心の発生による不具合を防止することができる。
【００５４】
なお、熱可塑性プラスチックフィルムは成形用金型および鏡面金型に密着させ、所定の圧力および所定の熱で熱プレスする際、熱可塑性プラスチックフィルムは熱可塑性プラスチックフィルムのガラス転移温度以上に達する熱が加えられる。そして、成形用金型又は鏡面金型は、その中央部にセンターピン形状に従った内径の円状の穴を持ち、熱可塑性プラスチックフィルムは鏡面金型の中央部のセンターピン形状に従った内径の円状の穴を持っている。
【図面の簡単な説明】
【００５５】
【図１】一般的なフレキシブルディスクを光情報記録再生装置に装填した際の状態例（偏心のない理想的な状態）を示す図である。
【図２】一般的なフレキシブルディスクを光情報記録再生装置に装填した際に偏心が発生した状態の例を示す図である。
【図３】本発明による情報記録媒体（フレキシブルディスク）の全体構成を示す構成図であり、図３Ａはその側面図を示し、図３Ｂはその平面図を示している。
【図４】本発明による情報記録媒体の断面構造を示す図である。
【図５】本発明による情報記録媒体がカートリッジに複数枚収められた様子を示す図である。
【図６】本発明の情報記録媒体を装着した場合の情報記録再生装置の概略構成を示す図（光ピックアップがディスク下にある構成）である。
【図７】本発明の情報記録媒体を装着した場合の情報記録再生装置の概略構成を示す図（光ピックアップがディスク上にある構成）である。
【図８】本発明の情報記録再生装置に装着可能な姿勢制御兼光学補正板の構成例を示す図である。
【図９】図８の姿勢制御兼光学補正板を用いた場合の空気の流れを示す図である。
【図１０】本発明による情報記録媒体の製造工程を説明するための図である。
【図１１】本発明による情報記録媒体の製造工程で使用される金型の第１の具体例を示す図である。
【図１２】本発明による情報記録媒体の製造工程で使用される金型の第２の具体例を示す図である。
【符号の説明】
【００５６】
１０１    本発明のフレキシブルディスク
１０２    一般的なフレキシブルディスク
１０３    勾配凸部
２０１    テーパードコーン（ディスク支持体）
２０２    姿勢制御兼光学補正板
【図１】
2008090932.tif 000003
【図２】
2008090932.tif 000004
【図３】
2008090932.tif 000005
【図４】
2008090932.tif 000006
【図５】
2008090932.tif 000007
【図６】
2008090932.tif 000008
【図７】
2008090932.tif 000009
【図８】
2008090932.tif 000010
【図９】
2008090932.tif 000011
【図１０】
2008090932.tif 000012
【図１１】
2008090932.tif 000013
【図１２】
2008090932.tif 000014